(57)【要約】【課題】一次側の入力電圧の変化を電圧感知スイッチにより感知して設定電圧を供給する際に二次側の電圧が一定であって、接点の切り替時に一時的に生じる遮断が精密機器への障害となる点を克服する。【解決手段】  精密機械を備えた工場の電源部に備える節電機において接点の切り替え時に電力供給を遮断することなく常に二次側に一定電圧の電力供給可能とするため、一次側の電圧感知スイッチ６により最低設定電圧１より低い又は高い電圧の誤差を感知して接点を切り替えて二次側の電圧を一定にして出力し、自己保持タイマー３により一次側の電力を一時的に負荷設備に直接供給する制御盤１３を備えることにより、アップトランス８又はダウントランス９の接点においてそれぞれの切り替え時に一時的な電力供給の遮断をすることなく常に一定の電圧で負荷設備に電力を供給する。【選択図】図１
2006092237.tif 000002
【特許請求の範囲】
【請求項１】
節電機において電力供給される一次側の電圧と設定電圧の誤差を感知して接点の切り替え時に電力供給を遮断することなく常に一定電圧の電力を二次側に出力可能とするため、一次側電圧感知スイッチで作動する接点の切り替えにより最低設定電圧より低い又は高い電圧を感知して二次側に一定の電圧で出力すると共に、一次側の供給電力を一時的に負荷設備に直接供給する制御盤を備え、アップトランス又はダウントランスの接点の切り替え時に電力供給を一時的に遮断させることなく接点を切り替えて負荷設備に設定電圧の電力を供給することができるようにしたことを特徴とする節電機。
【請求項２】
節電機において一次側の電圧感知スイッチにより一次側の電圧と設定電圧の誤差を感知して切り替わる接点の故障時に手動用スイッチを設けることにより接点の電力供給を遮断することなく常に電力供給可能とするため、手動スイッチ５ａ，５ｂ，５ｃにより一次側の電力を一時的に負荷設備に供給することにより電力供給を一時的に遮断させることなく供給することができるようにしたことを特徴とする請求項１に記載の節電機。
【請求項３】
一次側電圧感知スイッチで最低設定電圧より低い又は高い電圧を感知してアップトランス又はダウントランスの接点を切り替えて二次側に一定の電圧で出力するため、自己保持タイマーを設けることにより、接点の切り替え時に供給された入力電圧を一時的に二次側に直結して供給することにより負荷設備に出力される電圧が維持されるように制御された制御盤を備えることを特徴とする請求項１に記載の節電機。
【発明の詳細な説明】
【技術分野】
【０００１】
本発明は、接点の切り替え時に供給された入力電圧を一時的に二次側に直結して供給するように制御された自己保持タイマーを備え、一次側に流れる供給電力の電圧を感知する電圧感知スイッチにより設定電圧との誤差を感知してアップトランス又はダウントランスの接点においてそれぞれの接点を切り替えて一定の電圧を負荷設備に出力し、接点の切り替え時にも電力供給が切れ目なく維持されるので負荷設備に影響を与えない節電機に関するものである。
【背景技術】
【０００２】
節電機は、トランスの鉄心に巻いた巻き線に複数の接点を１ボルトずつずらせて設け、入力電圧を電圧感知スイッチにより感知し、入力された一次側の電圧によりアップトランス又はダウントランスの接点において設定された電圧で供給可能な接点に切り替えて、出力して負荷設備を稼動させることができる。このために供給電圧より低い設定電圧を負荷設備側に出力して節電できる利点があるので、負荷設備の電源部として実用に共されている。
節電効果を上げる目的のためには負荷設備によって供給された入力電圧の変動を入力電圧感知スイッチにより感知して、アップトランス又はダウントランスの接点を切り替えるだけて二次側に設定電圧で出力し、負荷設備を稼動させるために設定された電圧で電力を供給できるようにすれば実用上十分であった。
【０００３】
しかし、電源部に定格電圧で入力される電力は常時電圧が変動しており電圧感知スイッチにより入力電圧を感知して接点を切り替えて負荷設備に設定電圧を出力しても入力時の電圧により出力される電圧は変動する。また、接点の切り替えにより接触が十分に確保できずに一瞬遮断するために生じる電力供給の遮断が精密機械に障害を及ぼすという欠点があった。
負荷設備の中に電子機器を備えた精密機械が稼動している場合などに設定電圧を出力するときには、供給される電力の遮断が生じないようにアップトランス叉はダウントランスの接点においてそれぞれを切り替えるときにも設備に常に電力を供給して一時的な遮断を生じることなく接点の切り換えを行うことにより常に二次側に出力される電圧が一定になるように維持することが必要になる。
常に供給電力の電圧に影響されずに二次側に一定電圧で出力することを実現し且つ設定電圧を常に維持して一定の電圧で出力をするために接点を切り換えても負荷設備に電力を供給することが可能になるようにするために、一次側の入力電圧感知スイッチにより入力電圧を感知してアップ・ダウントランスのそれぞれの接点を切り替えて二次側に一定の電圧で出力し、自己保持タイマーにより接点の切り換えの際に供給された一次側の入力電圧を負荷設備に直結し十分確実に接触させる必要がある。
【０００４】
電子機器を備えている精密機械を稼動させている工場において電源部に節電機を使用する用途において、従来の節電機の前記の欠点は精密機械の稼動に関して大きな障害である。具体的には、電子機器に障害を与え、設定をやり直したり、入力情報の前後がかけたり、あるいは、瞬時の遮断によって再稼動ができなくなるなどの問題があった。
【０００５】
この改善策として、インバーターを使用して電力の供給を維持させる方法がある。この場合には電圧調整の幅が狭く節電効果が期待よりは少なく成る。
【特許文献１】特開２００２−２３７４２０号公報
【特許文献２】特開２００１−１２５６５２号公報
【特許文献３】特開２０００−３２４６８７号公報
【特許文献４】特開２０００−２８７４５８号公報
【特許文献５】特開平１０−２５４５６１号公報
【特許文献６】特開平０９−３１２２２４号公報
【特許文献７】特開平０９−３１２２２３号公報
【特許文献８】特開平０９−０９３８１０号公報
【特許文献９】特開平０８−２８９１６８号公報
【発明の開示】
【発明が解決しようとする課題】
【０００６】
解決しようとする問題点は、供給された電力の一次側の入力電圧の変化を電圧感知スイッチにより感知して二次側に一定の設定電圧を出力する際に、一次側に供給される電力は電圧に変化があり、これに二次側が影響されて二次側に供給する電圧が変化して、アップトランス及びダウントランスのそれぞれの接点の切り替時に一時的に生じる遮断が精密機器への障害となる点である。
【課題を解決するための手段】
【０００７】
本発明は、精密機械を備えた工場の電源部に備える節電機において、電力供給された一次側の電圧を二次側に常に一定の電圧で出力し、更に接点の切り替え時に電力供給を遮断することなく維持して常に電力供給可能とするため、電圧感知スイッチにより最低設定電圧より低い又は高い電圧の誤差を感知して常にアップトランス又はダウントランスの接点を切り替え、接点の切り替え時に自己保持タイマーにより一次側の電力を一時的に負荷設備に直接供給する制御盤を備えると共に、アップトランス又はダウントランスの接点の切り替えによっても負荷設備に常時供給される電力には遮断を生じることなく負荷設備に一定の電圧で電力を供給可能とすることを最も主要な特徴とする。
【発明の効果】
【０００８】
本発明の節電機は、供給される電圧が変動しても負荷設備に一次側の電力の供給を保持してある状態で接点を切り替えて常に電力供給の切れ目がない状態で設定電圧を一定にして二次側に出力することを可能とする。このため、電圧感知スイッチにより最低設定電圧より低い又は高い電圧の誤差を感知して常にアップトランス又はダウントランスの接点においてそれぞれの接点を切り替え、切り替え時には自己保持タイマーで一次側に供給される電圧を負荷設備に直接供給している状態を保持する制御盤を備えており、このためにそれぞれの接点の切り替えによっても遮断を生じることなく、設定電圧で維持されるよう接点を切り替えて一定の電圧で負荷設備に電力を供給することができるので、制御盤により一次側に入力されている電力を負荷設備に出力されるよう自己保持タイマーにより保持するよう作動する間、一次側に供給された電力供給を維持することによって負荷設備に影響を与えずに接点を切り替え節電し得る。このように設定電圧を一定にして切れ目なく出力しても尚節電効果を発揮するという利点がある。
【発明を実施するための最良の形態】
【０００９】
一次側の電力供給を自己保持タイマーにより一定時間負荷設備に供給し、電力供給を保持してある状態で、一次側の電圧と設定電圧との誤差を電圧感知スイッチにより感知してアップトランスまたはダウントランスの接点においてそれぞれの接点を切り替えて設定電圧により一定電圧の電力を供給して節電するという目的を、二次側電圧を切り替える接点の切り替え時にも一時的供給遮断を生ぜず、付加設備に影響を与えることなく節電することを実現した。
【実施例１】
【００１０】
図１〜４５は、本発明装置の１実施例の回路図であって、１は、  電圧設定スイッチ、  ２は、    トランス、  ３は、  自己保持タイマー、  ４は、  パイロットランプ、  ５，  ５ａ，５ｂ，５ｃは、  手動用切り替えスイッチ、  ６は、  一次側電圧感知スイッチ、  ７は、  アップトランスの接点、  ８は、  アップトランス、  ９は、  ダウントランス、  １０は、  ダウントランスの接点、  １１は、  漏電遮断器、  １２は、  モーターブレーカー、  １３は、  制御盤、  １４は、  接点、  図１５に表示するスイッチＰＳは、制御回路のオン・オフスイッチである。制御盤１３は、Ｒ相、Ｓ相、Ｔ相の各相に電圧感知スイッチ６（ＡＲ１，ＡＲ２，．．．）が設けられ、自己保持タイマー３が設けられている。制御盤の回路は、  一次側入力電圧を二次側に一時的に直接供給する自己保持タイマー３（Ｔ１，Ｔ２，．．．）、    その直接供給を表示するパイロットランプ４、    手動用切り替えスイッチ５ａ，５ｂ，５ｃ、  一次側電圧感知スイッチ６、  自己保持タイマー３の作動により一次側入力電圧を直接供給する接点１４などにより構成されており、Ｔ相Ｓ相の回路図（その１〜その１２）を参照してＲ相Ｔ相の回路構成もＲ相Ｓ相の回路構成も同じ構成になっている。
【００１１】
トランス２の機能について説明する。トランス２による二次側に出力する電圧を一定に保つために、アップトランス８及びダウントランス９のそれぞれの巻き線を有し、電圧のアップ・ダウンの１Vずつのスイッチを設けたトランス２を電源の漏電遮断器１１とモーターブレーカー１２を介して一次側電源に接続し、トランス２には設定電圧を入力する電圧設定スイッチ１を設けてある。この電圧設定スイッチ１は二次側に流れる電力の電圧を手動で設定する。図１に表示したようにトランス２に接続してある制御盤１３の機能は一次側電圧感知スイッチ６により一次側電圧を感知し、二次側電圧との誤差を感知して、アップトランスの接点７又はダウントランスの接点１０より出力される電圧を設定電圧に保つように制御するものである。
【００１２】
この制御盤の機能を具体的に説明する。電源電圧が定格１００Vで供給されている電力の場合に出力電圧を設定電圧に保つために、電圧設定スイッチ１を手動で設定する。トランス２の二次側電圧を例えば９５Vに設定すると、一次側電圧が１０１V
で入力された場合には、ダウントランス９はー６Vに接点１０が切り替わり９５Vで二次側に出力される。一次側電圧が９８Vの場合、ダウントランス９はー３Vの接点に接続されて９５Vで二次側に出力される。一次側電圧が９２V  の場合には、アップトランス８の接点７が３Vで接続されることにより、二次側の出力は常に９５Vの設定電圧を保つことができる。
【００１３】
電源電圧が定格２００Vで供給されている電力の場合に出力電圧を設定電圧に保つために、電圧設定スイッチ１を手動で設定し、トランスの二次側電圧を例えば１９５Vに設定すると、一次側電圧が２０７V
で入力された場合には、ダウントランス９はー１２Vに接点１０が切り替わり１９５Vで二次側に出力される。一次側電圧が２０３Vの場合、ダウントランス９はー８Vの接点に接続されて１９５Vで二次側に出力される。一次側電圧が１９２Vの場合には、アップトランス８の接点７が３Vで接続されることにより、二次側の出力は常に１９５Vの設定電圧を保つことができる。
【００１４】
設定電圧を保って二次側に一定電圧を出力することができるようにするために、制御盤１３の電気回路はスイッチ（ＰＳ）のオン・オフによって電圧感知スイッチ（AR）６が作動する状態になる。トランス２の電圧設定スイッチ（ＲＳ）１により設定電圧が出力電圧になる。一次側の電圧は設定電圧に比較したとき誤差が生じる。この場合に制御盤１３の機能によりアップトランス・ダウントランスのそれぞれの接点を切り替えて電圧設定スイッチ１によりあらかじめ設定された一定の電圧を負荷側に供給することができる。それぞれの接点の切り替わりのとき、自己保持タイマー３が作動して接点１４を接続して、一次側の電圧が直接に負荷設備に供給される電力となる。このためランプ（PL）が点灯している。前記の電圧感知スイッチ６が誤差を感知して、二次側に設定電圧を出力するように補正する動作をすることによって、アップトランス８の接点７・ダウントランス９の接点１０のそれぞれの切り替わりのとき、自己保持タイマー（Ｔ１〜Ｔ１６）は、自己保持して一次側の電圧で二次側に電力を供給し、接点のそれぞれで切り替わる一瞬の電気の遮断を無くすることができる。図１に示した電圧設定スイッチ（ＲＳ１）は、二次側に供給される最低電圧を設定するためのスイッチである。手動用切り替えスイッチ（Ｓ１）５ａ，手動用切り替えスイッチ（Ｓ２）５Ｃの切り替えにより、手動で接触器５ｂが切り替わるので負荷側に供給されている電力の電圧は一次側の電力供給電圧に切り替わる。
【００１５】
例えば、定格電圧が１００Ｖで供給されている一次側電圧が１０７Ｖのとき、電圧感知スイッチ（ＡＲ１）６がオンになり、ＡＲ１接点、１−２、３−４、５−６  がオンになる。これにより自己保持タイマー３が作動して、接点１４が切り替わり一次側の電圧は二次側へ直結して供給される電力となり、電圧感知スイッチ６の接点の切り替わりによる精密機器に与える障害を克服することができる。
【００１６】
このような自己保持タイマーを採用したので、接点の切り替え時には供給電力の一次側から直接に二次側の設備に電力を供給することが可能になるので節電機の接点の切り替えによる電力供給の遮断をすることなく、電圧設定スイッチに設定した電圧で二次側に出力する電圧が一定になり切れ目なく負荷設備に供給されることになる。
【００１７】
又手動用スイッチ５を手動でオンにすることで一次側電圧が直接負荷設備に入力できる。電圧感知スイッチ６が作動すれば自動で自己保持タイマー３が作動して接点１４が接続されるのでパイロットランプ４が点灯し一次側の供給電力は二次側へ出力されている。又電圧感知スイッチ６が壊れても手動で供給電圧を負荷側に直接出力することにより精密機器に与える影響を克服する効果がある。
【産業上の利用可能性】
【００１８】
トランス２に接続して取付けた電圧設定スイッチ１を設定し、自己保持タイマー３をセット状態にしておくと電圧感知スイッチ６により入力電圧と設定電圧の誤差を感知して一定の電圧で出力されるようにダウントランス又はアップトランスのそれぞれの接点において接点を切り替え、切り替え時には自己保持タイマーにより接点が直接接触して容易に入力電圧が負荷設備に出力ができてパイロットランプが点灯し、自己保持タイマー３により保持時間その状態を保持した後に切断し、その間自己保持タイマーが作動して一次側の電力が供給されるようにした制御盤によって電力の遮断が生じないでダウントランス又はアップトランスの接触により設定電圧が二次側に出力されることにより、一定の設定電圧が必要な精密機械を備えた工場の電源として不可欠な用途にも適用できる。
【図面の簡単な説明】
【００１９】
【図１】節電機の全体の構成を示した説明図である。（実施例１）
【図２】節電機のトランスにおいてアップトランスとダウントランスの構成を示した説明図である。（実施例１）
【図３】節電機の三相用アップトランスのＴ相Ｓ相の回路構成を示した説明図である。（実施例１）
【図４】節電機の三相用アップトランスのＲ相Ｔ相の回路構成を示した説明図である。（実施例１）
【図５】節電機の三相用アップトランスのＲ相Ｓ相の回路構成を示した説明図である。（実施例１）
【図６】節電機の三相用ダウントランスのＴ相Ｓ相の回路構成を示した説明図である。（実施例１）
【図７】節電機の三相用ダウントランスのＲ相Ｔ相の回路構成を示した説明図である。（実施例１）
【図８】節電機の三相用ダウントランスのＲ相Ｓ相の回路構成を示した説明図である。（実施例１）
【図９】三相用制御盤の構成を示したＴ相Ｓ相回路図その１である。（実施例１）
【図１０】三相用制御盤の構成を示したＴ相Ｓ相回路図その２である。（実施例１）
【図１１】三相用制御盤の構成を示したＴ相Ｓ相回路図その３である。（実施例１）
【図１２】三相用制御盤の構成を示したＴ相Ｓ相回路図その４である。（実施例２）
【図１３】三相用制御盤の構成を示したＴ相Ｓ相回路図その５である。（実施例１）
【図１４】三相用制御盤の構成を示したＴ相Ｓ相回路図その６である。（実施例１）
【図１５】三相用制御盤の構成を示したＴ相Ｓ相回路図その７である。（実施例１）
【図１６】三相用制御盤の構成を示したＴ相Ｓ相回路図その８である。（実施例１）
【図１７】三相用制御盤の構成を示したＴ相Ｓ相回路図その９である。（実施例１）
【図１８】三相用制御盤の構成を示したＴ相Ｓ相回路図その１０である。（実施例１）
【図１９】三相用制御盤の構成を示したＴ相Ｓ相回路図その１１である。（実施例１）
【図２０】三相用制御盤の構成を示したＴ相Ｓ相回路図その１２である。（実施例１）
【図２１】三相用制御盤の構成を示したＲ相Ｔ相回路図その１である。（実施例１）
【図２２】三相用制御盤の構成を示したＲ相Ｔ相回路図その２である。（実施例１）
【図２３】三相用制御盤の構成を示したＲ相Ｔ相回路図その３である。（実施例１）
【図２４】三相用制御盤の構成を示したＲ相Ｔ相回路図その４である。（実施例１）
【図２５】三相用制御盤の構成を示したＲ相Ｔ相回路図その５である。（実施例１）
【図２６】三相用制御盤の構成を示したＲ相Ｔ相回路図その６である。（実施例１）
【図２７】三相用制御盤の構成を示したＲ相Ｔ相回路図その７である。（実施例１）
【図２８】三相用制御盤の構成を示したＲ相Ｔ相回路図その８である。（実施例１）
【図２９】三相用制御盤の構成を示したＲ相Ｔ相回路図その９である。（実施例１）
【図３０】三相用制御盤の構成を示したＲ相Ｔ相回路図その１０である。（実施例１）
【図３１】三相用制御盤の構成を示したＲ相Ｔ相回路図その１１である。（実施例１）
【図３２】三相用制御盤の構成を示したＲ相Ｔ相回路図その１２である。（実施例１）
【図３３】三相用制御盤の構成を示したＲ相Ｔ相回路図その１３である。（実施例１）
【図３４】三相用制御盤の構成を示したＲ相Ｓ相回路図その１である。（実施例１）
【図３５】三相用制御盤の構成を示したＲ相Ｓ相回路図その２である。（実施例１）
【図３６】三相用制御盤の構成を示したＲ相Ｓ相回路図その３である。（実施例１）
【図３７】三相用制御盤の構成を示したＲ相Ｓ相回路図その４である。（実施例１）
【図３８】三相用制御盤の構成を示したＲ相Ｓ相回路図その５である。（実施例１）
【図３９】三相用制御盤の電圧感知スイッチＡＲ１，ＡＲ２の構成を示した拡大回路図である。（実施例１）
【図４０】一次側電圧感知スイッチＡＲ１の接点の拡大図である。（実施例１）
【図４１】一次側電圧感知スイッチＡＲ２の接点の拡大図である。（実施例１）
【図４２】三相用制御盤の電圧設定スイッチ並びに自己保持タイマーの構成を示した拡大回路図である。（実施例１）
【図４３】三相用制御盤の電圧設定スイッチＲＳ並びに自己保持タイマーＴ１の構成を示した拡大回路図である。（実施例１）
【図４４】三相用制御盤の電圧設定スイッチＲＳ並びに自己保持タイマーＴ２の構成を示した拡大回路図である。（実施例１）
【図４５】三相用制御盤の出力端子の構成を示した回路図である。（実施例１）
【符号の説明】
【００２０】
１    電圧設定スイッチ（ＲＳ１，ＲＳ２，．．．）
２    トランス
３    自己保持タイマー（Ｔ１，Ｔ２，．．．．Ｔ１６）
４    パイロットランプ
５，  ５ａ，５ｂ，５ｃ    手動用切り替えスイッチ
６    一次側電圧感知スイッチ（ＡＲ１，ＡＲ２，．．．）
７    アップトランスの接点
８    アップトランス
９    ダウントランス
１０    ダウントランスの接点
１１    漏電遮断器
１２    モーターブレーカー
１３    制御盤
１４    接点
【図１】
2006092237.tif 000003
【図２】
2006092237.tif 000004
【図３】
2006092237.tif 000005
【図４】
2006092237.tif 000006
【図５】
2006092237.tif 000007
【図６】
2006092237.tif 000008
【図７】
2006092237.tif 000009
【図８】
2006092237.tif 000010
【図９】
2006092237.tif 000011
【図１０】
2006092237.tif 000012
【図１１】
2006092237.tif 000013
【図１２】
2006092237.tif 000014
【図１３】
2006092237.tif 000015
【図１４】
2006092237.tif 000016
【図１５】
2006092237.tif 000017
【図１６】
2006092237.tif 000018
【図１７】
2006092237.tif 000019
【図１８】
2006092237.tif 000020
【図１９】
2006092237.tif 000021
【図２０】
2006092237.tif 000022
【図２１】
2006092237.tif 000023
【図２２】
2006092237.tif 000024
【図２３】
2006092237.tif 000025
【図２４】
2006092237.tif 000026
【図２５】
2006092237.tif 000027
【図２６】
2006092237.tif 000028
【図２７】
2006092237.tif 000029
【図２８】
2006092237.tif 000030
【図２９】
2006092237.tif 000031
【図３０】
2006092237.tif 000032
【図３１】
2006092237.tif 000033
【図３２】
2006092237.tif 000034
【図３３】
2006092237.tif 000035
【図３４】
2006092237.tif 000036
【図３５】
2006092237.tif 000037
【図３６】
2006092237.tif 000038
【図３７】
2006092237.tif 000039
【図３８】
2006092237.tif 000040
【図３９】
2006092237.tif 000041
【図４０】
2006092237.tif 000042
【図４１】
2006092237.tif 000043
【図４２】
2006092237.tif 000044
【図４３】
2006092237.tif 000045
【図４４】
2006092237.tif 000046
【図４５】
2006092237.tif 000047
【手続補正書】
【提出日】平成16年9月29日(2004.9.29)
【手続補正１】
【補正対象書類名】明細書
【補正対象項目名】００１９
【補正方法】変更
【補正の内容】
【００１９】
【図１】節電機の全体の構成を示した説明図である。（実施例１）
【図２】節電機のトランスにおいてアップトランスとダウントランスの構成を示した説明図である。（実施例１）
【図３】節電機の三相用アップトランスのＴ相Ｓ相の回路構成を示した説明図である。（実施例１）
【図４】節電機の三相用アップトランスのＲ相Ｔ相の回路構成を示した説明図である。（実施例１）
【図５】節電機の三相用アップトランスのＲ相Ｓ相の回路構成を示した説明図である。（実施例１）
【図６】節電機の三相用ダウントランスのＴ相Ｓ相の回路構成を示した説明図である。（実施例１）
【図７】節電機の三相用ダウントランスのＲ相Ｔ相の回路構成を示した説明図である。（実施例１）
【図８】節電機の三相用ダウントランスのＲ相Ｓ相の回路構成を示した説明図である。（実施例１）
【図９】三相用制御盤の構成を示したＴ相Ｓ相回路図その１である。（実施例１）
【図１０】三相用制御盤の構成を示したＴ相Ｓ相回路図その２である。（実施例１）
【図１１】三相用制御盤の構成を示したＴ相Ｓ相回路図その３である。（実施例１）
【図１２】三相用制御盤の構成を示したＴ相Ｓ相回路図その４である。（実施例１）
【図１３】三相用制御盤の構成を示したＴ相Ｓ相回路図その５である。（実施例１）
【図１４】三相用制御盤の構成を示したＴ相Ｓ相回路図その６である。（実施例１）
【図１５】三相用制御盤の構成を示したＴ相Ｓ相回路図その７である。（実施例１）
【図１６】三相用制御盤の構成を示したＴ相Ｓ相回路図その８である。（実施例１）
【図１７】三相用制御盤の構成を示したＴ相Ｓ相回路図その９である。（実施例１）
【図１８】三相用制御盤の構成を示したＴ相Ｓ相回路図その１０である。（実施例１）
【図１９】三相用制御盤の構成を示したＴ相Ｓ相回路図その１１である。（実施例１）
【図２０】三相用制御盤の構成を示したＴ相Ｓ相回路図その１２である。（実施例１）
【図２１】三相用制御盤の構成を示したＲ相Ｔ相回路図その１である。（実施例１）
【図２２】三相用制御盤の構成を示したＲ相Ｔ相回路図その２である。（実施例１）
【図２３】三相用制御盤の構成を示したＲ相Ｔ相回路図その３である。（実施例１）
【図２４】三相用制御盤の構成を示したＲ相Ｔ相回路図その４である。（実施例１）
【図２５】三相用制御盤の構成を示したＲ相Ｔ相回路図その５である。（実施例１）
【図２６】三相用制御盤の構成を示したＲ相Ｔ相回路図その６である。（実施例１）
【図２７】三相用制御盤の構成を示したＲ相Ｔ相回路図その７である。（実施例１）
【図２８】三相用制御盤の構成を示したＲ相Ｔ相回路図その８である。（実施例１）
【図２９】三相用制御盤の構成を示したＲ相Ｔ相回路図その９である。（実施例１）
【図３０】三相用制御盤の構成を示したＲ相Ｔ相回路図その１０である。（実施例１）
【図３１】三相用制御盤の構成を示したＲ相Ｔ相回路図その１１である。（実施例１）
【図３２】三相用制御盤の構成を示したＲ相Ｔ相回路図その１２である。（実施例１）
【図３３】三相用制御盤の構成を示したＲ相Ｔ相回路図その１３である。（実施例１）
【図３４】三相用制御盤の構成を示したＲ相Ｓ相回路図その１である。（実施例１）
【図３５】三相用制御盤の構成を示したＲ相Ｓ相回路図その２である。（実施例１）
【図３６】三相用制御盤の構成を示したＲ相Ｓ相回路図その３である。（実施例１）
【図３７】三相用制御盤の構成を示したＲ相Ｓ相回路図その４である。（実施例１）
【図３８】三相用制御盤の構成を示したＲ相Ｓ相回路図その５である。（実施例１）
【図３９】三相用制御盤の電圧感知スイッチＡＲ１，ＡＲ２の構成を示した拡大回路図である。（実施例１）
【図４０】一次側電圧感知スイッチＡＲ１の接点の拡大図である。（実施例１）
【図４１】一次側電圧感知スイッチＡＲ２の接点の拡大図である。（実施例１）
【図４２】三相用制御盤の電圧設定スイッチ並びに自己保持タイマーの構成を示した拡大回路図である。（実施例１）
【図４３】三相用制御盤の電圧設定スイッチＲＳ並びに自己保持タイマーＴ１の構成を示した拡大回路図である。（実施例１）
【図４４】三相用制御盤の電圧設定スイッチＲＳ並びに自己保持タイマーＴ２の構成を示した拡大回路図である。（実施例１）
【図４５】三相用制御盤の出力端子の構成を示した回路図である。（実施例１）